(57)【要約】【課題】ユーザーの所有するポイントカードのポイントの有効な利用を簡便に促進することができるポイントカード管理システムを提供する。【解決手段】ポイントカード管理システム２４は、画像を処理する複合機１１、および複合機１１にネットワーク２３を介して接続可能なサーバー３１を含む。複合機１１は、読み取り要求受け付け部４２と、画像読み取り制御部４３と、記載情報取得部４４とを備える。記載情報取得部４４は、画像読み取り部１４により読み取られたポイントカードの画像からポイントカードの記載情報を取得する。サーバー３１は、サーバーハードディスク３４と、抽出部５２とを備える。抽出部５２は、受信されたポイントカードの記載情報を基に、サーバーハードディスク３４に記憶されたポイントカードの情報の中から、ポイントカードの蓄積情報を抽出する。【選択図】図３
2017215767.tif 000002
【特許請求の範囲】
【請求項１】
画像を処理する画像処理装置、および前記画像処理装置にネットワークを介して接続可能な記憶装置を含み、ポイントカードの情報を管理するポイントカード管理システムであって、
前記画像処理装置は、
原稿の画像を読み取る際に原稿を載置させる載置台と、
前記載置台上に載置された原稿の画像を読み取る画像読み取り部と、
画像を形成して用紙に印刷する印刷部と、
前記載置台上に載置された前記ポイントカードのユーザーからの画像の読み取りの要求を受け付ける読み取り要求受け付け部と、
前記読み取り要求受け付け部により前記読み取りの要求を受け付ければ、前記ポイントカードの画像を前記画像読み取り部により読み取るよう制御する画像読み取り制御部と、
前記画像読み取り部により読み取られた前記ポイントカードの画像から前記ポイントカードの記載情報を取得する記載情報取得部と、
前記記載情報取得部により取得された前記ポイントカードの記載情報を、前記ネットワークを介して前記記憶装置に送信するよう制御する画像処理装置送信制御部と、
前記記憶装置から送信された前記ポイントカードの記載情報を、前記ネットワークを介して受信するよう制御する画像処理装置受信制御部と、
受信された前記ポイントカードの蓄積情報の印刷画像のレイアウトを作成するレイアウト作成部と、
前記レイアウト作成部により作成された前記印刷画像のレイアウトに従って、前記ポイントカードの蓄積情報を印刷するよう前記印刷部を制御する印刷制御部とを備え、
前記記憶装置は、
前記ポイントカードの情報を記憶する記憶部と、
前記画像処理装置から送信された前記ポイントカードの記載情報を、前記ネットワークを介して受信するよう制御する記憶装置受信制御部と、
受信された前記ポイントカードの記載情報を基に、前記記憶部に記憶された前記ポイントカードの情報の中から、前記ポイントカードの蓄積情報を抽出する抽出部と、
前記抽出部により抽出された前記ポイントカードの蓄積情報を前記画像処理装置に送信するよう制御する記憶装置送信制御部とを備える、ポイントカード管理システム。
【請求項２】
前記画像処理装置は、
前記読み取り要求受け付け部により前記読み取りの要求を受け付けた前記ユーザーを認証する認証部をさらに備え、
前記画像読み取り制御部は、前記認証部により前記ユーザーの認証が成功しなければ、前記画像読み取り部によって前記ポイントカードの画像を読み取らないよう制御する、請求項１に記載のポイントカード管理システム。
【請求項３】
前記認証部は、前記ユーザーの顔の画像を認証することにより行われる、請求項２に記載のポイントカード管理システム。
【請求項４】
前記画像処理装置は、
前記読み取り要求受け付け部により要求を受け付けた前記ユーザーの情報を記憶する記憶部と、
前記読み取り要求受け付け部により前記読み取りの要求を受け付けた前記ユーザーが、過去に前記読み取り要求受け付け部による前記読み取りの要求を行ったか否かを判断する判断部と、をさらに備え、
前記抽出部は、前記判断部により過去に前記読み取り要求受け付け部による前記読み取りの要求を行ったと判断されれば、前記記載情報取得部により取得された前記ポイントカードの記載情報に関わらず、前記ユーザーの情報を基に、前記ポイントカードの蓄積情報を抽出する、請求項１〜３のいずれか１項に記載のポイントカード管理システム。
【請求項５】
前記載置台は、複数の前記ポイントカードが並置可能である、請求項１〜４のいずれか１項に記載のポイントカード管理システム。
【請求項６】
前記ポイントカードの記載情報は、前記ポイントカードを発行した管理会社の情報、前記ポイントカードを所有するユーザーの情報、および前記ポイントカードの番号の情報を含む、請求項１〜５のいずれか１項に記載のポイントカード管理システム。
【請求項７】
前記ポイントカードの蓄積情報は、蓄積されたポイント数の情報、ポイントの有効期限の情報を含む、請求項１〜６のいずれか１項に記載のポイントカード管理システム。
【請求項８】
前記記載情報取得部は、ＯＣＲ（Ｏｐｔｉｃａｌ  Ｃｈａｒａｃｔｅｒ  Ｒｅｃｏｇｎｉｔｉｏｎ）を含む、請求項１〜７のいずれか１項に記載のポイントカード管理システム。
【請求項９】
前記記憶装置は、サーバーおよびクラウドコンピューティング上の記憶部のうちの少なくともいずれか一方を含む、請求項１〜８のいずれか１項に記載のポイントカード管理システム。
【発明の詳細な説明】
【技術分野】
【０００１】
この発明は、ポイントカード管理システムに関するものである。
【背景技術】
【０００２】
複合機に代表される画像処理装置においては、画像データを基に、感光体に対して光を照射し、感光体上に静電潜像を形成する。その後、形成した静電潜像の上に帯電したトナーを供給して可視画像とした後、用紙に転写して定着させ、装置外に排出して印刷する。
【０００３】
画像処理装置においては、情報管理として、名刺の情報を読み取ってこれを管理することが行われている。読み取った名刺からの名刺情報の取得に関する技術が、特開２００３−３６２６０号公報（特許文献１）、および特開２００７−６０２６９号公報（特許文献２）に開示されている。
【０００４】
特許文献１に開示のデータ管理装置は、原稿から画像データを読み取る読み取り手段と、読み取り手段により読み取られる画像データをその画像データの使用目的別に保存する目的別保存手段と、目的別保存手段により保存する際に、その目的に応じた識別ＩＤ、保存領域、保存形式を自動的に割り当てる保存時属性割り当て手段と、を有することを特徴としている。
【０００５】
また、特許文献２に開示の情報管理システムは、印刷媒体の記載に関する情報を登録した管理データベースを管理し、ネットワークを介して端末装置間で印刷媒体の記載に関する情報を共有化できるようにした管理サーバーを備え、印刷媒体の記載に関する情報を用いて各種管理サービスを提供する。特許文献２に開示の情報管理システムは、管理データベースに登録された印刷媒体の記載に関する情報から抽出された出力情報を印刷出力する際に印刷の行われる印刷媒体に識別情報を併催し、印刷媒体を走査して読み込まれる識別情報に従って管理データベースに登録された印刷媒体の記載に関する情報の管理及び印刷媒体の管理を行うことを特徴としている。
【先行技術文献】
【特許文献】
【０００６】
【特許文献１】特開２００３−３６２６０号公報
【特許文献２】特開２００７−６０２６９号公報
【発明の概要】
【発明が解決しようとする課題】
【０００７】
店舗においてユーザーが買い物を行う場合や飲食をする場合において、店舗側や店舗を管理する管理会社からポイントカードが発行されることがある。昨今は、店舗による買い物のみに限らず、インターネットにおけるショッピング等においても、ポイントカードが発行される場合がある。このポイントカードは、店舗やインターネットのサイトを利用するユーザーに対して、支払われた金額に対応するポイントを付与し、蓄積された獲得ポイントや条件に応じて、ユーザーに対する有利なサービスや割引、商品の提供等を行うものである。
【０００８】
このようなポイントカードにおけるサービスは昨今数多くの店舗等で普及しているため、ユーザーは複数枚の種類の異なるポイントカードを所有しているのが一般的である。ユーザーは、買い物を行う際に、複数枚のポイントカードの中から適切なポイントカードを選択し、買い物時に提示等する必要がある。
【０００９】
ここで、ポイントカードについては、蓄積されている獲得ポイント数やポイントを活用できる有効期限等がポイントカード自体に記載されていない場合も多い。したがって、ユーザーが利用する際に、ポイントに付随する上記した情報を把握していない場合もある。そうすると、ユーザーが自らのポイントを有効に利用することができない状況が生じることとなる。このような状況をできるだけ回避できるようにすることが好ましい。上記した特許文献１および特許文献２に開示の技術では、対応することができない。
【００１０】
この発明の目的は、ユーザーの所有するポイントカードのポイントの有効な利用を簡便に促進することができるポイントカード管理システムを提供することである。
【課題を解決するための手段】
【００１１】
この発明に係るポイントカード管理システムは、画像を処理する画像処理装置、および画像処理装置にネットワークを介して接続可能な記憶装置を含む。ポイントカード管理システムは、ポイントカードの情報を管理する。画像処理装置は、載置台と、画像読み取り部と、印刷部と、読み取り要求受け付け部と、画像読み取り制御部と、記載情報取得部と、画像処理装置送信制御部と、画像処理装置受信制御部と、レイアウト作成部と、印刷制御部とを備える。載置台は、原稿の画像を読み取る際に原稿を載置させる。画像読み取り部は、載置台上に載置された原稿の画像を読み取る。印刷部は、画像を形成して用紙に印刷する。読み取り要求受け付け部は、載置台上に載置されたポイントカードのユーザーからの画像の読み取りの要求を受け付ける。画像読み取り制御部は、読み取り要求受け付け部により読み取りの要求を受け付ければ、ポイントカードの画像を画像読み取り部により読み取るよう制御する。記載情報取得部は、画像読み取り部により読み取られたポイントカードの画像からポイントカードの記載情報を取得する。画像処理装置送信制御部は、記載情報取得部により取得されたポイントカードの記載情報を、ネットワークを介して記憶装置に送信するよう制御する。画像処理装置受信制御部は、記憶装置から送信されたポイントカードの記載情報を、ネットワークを介して受信するよう制御する。レイアウト作成部は、受信されたポイントカードの蓄積情報の印刷画像のレイアウトを作成する。印刷制御部は、レイアウト作成部により作成された印刷画像のレイアウトに従って、ポイントカードの蓄積情報を印刷するよう印刷部を制御する。記憶装置は、記憶部と、記憶装置受信制御部と、抽出部と、記憶装置送信制御部とを備える。記憶部は、ポイントカードの情報を記憶する。記憶装置受信制御部は、画像処理装置から送信されたポイントカードの記載情報を、ネットワークを介して受信するよう制御する。抽出部は、受信されたポイントカードの記載情報を基に、記憶部に記憶されたポイントカードの情報の中から、ポイントカードの蓄積情報を抽出する。記憶装置送信制御部は、抽出部により抽出されたポイントカードの蓄積情報を画像処理装置に送信するよう制御する。
【発明の効果】
【００１２】
このようなポイントカード管理システムによれば、複数のポイントカードの情報を読み取らせて、複数のポイントカードの獲得ポイント数や有効期限を印刷して出力することとしている。そうすると、ユーザー自身がポイントカードの管理をせずとも、容易に獲得ポイント数や有効期限を把握することができ、ポイントの失効を防いだり、ポイントの有効活用を図ることができる。したがって、ユーザーの所有するポイントカードのポイントの有効な利用を簡便に促進することができる。
【図面の簡単な説明】
【００１３】
【図１】この発明の一実施形態に係るポイントカード管理システムの外観を示す概略図である。
【図２】図１に示すポイントカード管理システムの構成を示すブロック図である。
【図３】複合機制御部の構成を示すブロック図である。
【図４】サーバー制御部の構成を示すブロック図である。
【図５】ポイントカードの表面の一例を示す図である。
【図６】ポイントカード管理システムを用いてポイントカードの蓄積情報を取得する場合に処理の流れを示すフローチャートである。
【図７】載置台上に載置された三枚のポイントカードの状態を示す図である。
【図８】主記憶メモリに記憶された三枚のポイントカードの記載情報の一例を示す概念図である。
【図９】不揮発メモリに記憶された三枚のポイントカードの蓄積情報の一例を示す概念図である。
【図１０】出力された印刷物の一例を示す図である。
【発明を実施するための形態】
【００１４】
以下、この発明の実施の形態を説明する。図１は、この発明の一実施形態に係るポイントカード管理システムの外観を示す概略図である。図２は、図１に示すポイントカード管理システムの構成を示すブロック図である。
【００１５】
図１および図２を参照して、ポイントカードの情報を管理するポイントカード管理システム２４は、画像処理装置としての複合機１１と、ネットワーク２３を介して複合機１１と接続されるサーバー３１とを含む。複合機１１がコンビニエンスストア等に配置される場合、ネットワーク２３は、インターネットとして作用する。
【００１６】
次に、複合機１１の構成について説明する。複合機１１は、画像処理に関し、複写機能、プリンター機能、ファクシミリ機能等、複数の機能を有する。複合機１１は、複合機制御部１２と、操作部１３と、画像読み取り部１４と、印刷部１５と、給紙カセット１６と、複合機ハードディスク１７と、ネットワーク２３と接続するための複合機ネットワークインターフェース部１８と、画像読み取り部１４により原稿の画像を読み取る際に原稿を載置させる載置台１９とを備える。
【００１７】
複合機制御部１２は、複合機１１全体の制御を行う。なお、複合機制御部１２は、一時的にデータを記憶する主記憶メモリ２５を含む。操作部１３は、複合機１１側から発信する情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２にセットされた原稿または載置台１９上に載置された原稿の画像を読み取る。給紙カセット１６は、複数設けられており、それぞれ複数枚の用紙をその内部に収納することができる。印刷部１５は、画像読み取り部１４により読み取られた原稿の画像データやネットワーク２３を介して送信された画像データを基に、給紙カセット１６等から搬送されてきた用紙に画像を形成して印刷する。複合機ハードディスク１７は、送信された画像データや入力された画像形成条件等、画像形成に関するデータを記憶する。載置台１９は、透明なガラス板状の部材から構成されており、載置台１９上には、画像が読み取られる原稿が載置される。載置台１９は、後述するポイントカードを載置可能な構成である。この場合、複数のポイントカードを並置することができる。
【００１８】
次に、サーバー３１の構成について説明する。サーバー３１は、ネットワーク２３を介して、複合機１１に接続可能に構成されている。サーバー３１には、ディスプレイ３６と、キーボード３７と、マウス３８とが接続されている。ディスプレイ３６により、サーバー３１からの情報やデータが表示される。また、キーボード３７およびマウス３８を用いて、ユーザーは、サーバー３１へのデータの入力を行う。
【００１９】
サーバー３１は、サーバー制御部３２と、ネットワーク２３と接続するためのサーバーネットワークインターフェース部３３と、記憶部としてのサーバーハードディスク３４と、一時的にデータを記憶する不揮発メモリ３５とを含む。サーバー制御部３２は、サーバー３１自身を制御する。サーバーハードディスク３４は、いわゆるデータベースであり、受信した画像データや入力されたデータ等が記憶されている。
【００２０】
具体的には、サーバーハードディスク３４には、ポイントカードの情報が格納されている。ポイントカードの情報とは、ユーザー名やカード番号、会社名によって特定されるポイントカードにおいて、ユーザー名やカード番号の情報、ポイントカードを発行する会社の情報、さらには、ポイントカードに蓄積されている獲得ポイント数やポイントの有効期限に関する情報である。このようなサーバー３１は、ポイントカードを発行する管理会社によって管理され、最新のポイントカードの情報が常に更新されている。
【００２１】
次に、複合機１１に備えられる複合機制御部１２の構成について説明する。図３は、複合機制御部１２の構成を示すブロック図である。図３を参照して、複合機制御部１２は、認証部４１と、読み取り要求受け付け部４２と、画像読み取り制御部４３と、記載情報取得部４４と、画像処理装置送信制御部としての複合機送信制御部４５と、画像処理装置受信制御部としての複合機受信制御部４６と、レイアウト作成部４７と、印刷制御部４８とを備える。認証部４１は、読み取り要求受け付け部４２により読み取りの要求を受け付けたユーザーを認証する。読み取り要求受け付け部４２は、載置台１９上に載置されたポイントカードのユーザーからの画像の読み取りの要求を受け付ける。つまり、この場合の原稿としては、ポイントカードとなる。画像読み取り制御部４３は、読み取り要求受け付け部４２により読み取りの要求を受け付ければ、ポイントカードの画像を画像読み取り部１４により読み取るよう制御する。記載情報取得部４４は、画像読み取り部１４により読み取られたポイントカードの画像からポイントカードの記載情報を取得する。複合機送信制御部４５は、記載情報取得部４４により取得されたポイントカードの記載情報を、ネットワーク２３を介してサーバー３１に送信するよう制御する。複合機受信制御部４６は、サーバー３１からのポイントカードの蓄積情報を、ネットワーク２３を介して受信するよう制御する。レイアウト作成部４７は、受信されたポイントカードの蓄積情報の印刷画像のレイアウトを作成する。印刷制御部４８は、レイアウト作成部４７により作成された印刷画像のレイアウトに従って、ポイントカードの蓄積情報を印刷するよう印刷部１５を制御する。これらの構成については、後述する。
【００２２】
次に、サーバー３１に備えられるサーバー制御部３２の構成について説明する。図４は、サーバー制御部３２の構成を示すブロック図である。図４を参照して、サーバー制御部３２は、記憶装置受信制御部としてのサーバー受信制御部５１と、抽出部５２と、記憶装置送信制御部としてのサーバー送信制御部５３とを含む。サーバー受信制御部５１は、複合機１１からネットワーク２３を介して送信されたポイントカード記載情報を受信するよう制御する。抽出部５２は、ネットワーク２３を介して受信されたポイントカード記載情報を基に、サーバーハードディスク３４に記憶されたポイントカードの情報の中から、ポイントカードの蓄積情報を抽出する。サーバー送信制御部５３は、抽出部５２により抽出されたポイントカードの蓄積情報を複合機１１に送信するよう制御する。これらの構成についても、後述する。
【００２３】
ここでまず、ポイントカードの構成について、簡単に説明する。図５は、ポイントカードの表面の一例を示す図である。図５を参照して、ポイントカード５６ａの表面５７には、「ポイントカード」の表記５８と、発行元の会社名を示す「会社名：Ｙ」の表記５９ａと、カード番号を示す「カード番号：１１１」の表記５９ｂと、ユーザー名を示す「ユーザー：Ｘ」の表記５９ｃとが設けられている。これらの表記５８、５９ａ〜５９ｃについては、画像読み取り部１４による画像の読み取りにより把握することができる。
【００２４】
次に、ポイントカード管理システム２４を用いて、ポイントカードの蓄積情報を取得する場合について説明する。図６は、ポイントカード管理システム２４を用いてポイントカードの蓄積情報を取得する場合に処理の流れを示すフローチャートである。ここで、ユーザーＸが、会社名を「Ｙ」、カード番号を「１１１」とするポイントカード５６ａ、会社名を「Ｚ」、カード番号を「２２２」とするポイントカード５６ｂ、および会社名を「Ｗ」、カード番号を「３３３」とするポイントカード５６ｃを所有し、それぞれの蓄積情報を取得する場合について説明する。ここでいう会社名とは、ポイントカード５６ａ〜５６ｃをそれぞれ発行した会社の名前をいう。
【００２５】
図６を参照して、まず、ユーザーＸは、複合機１１が設置されている箇所に赴き、ユーザー認証を行う（図６において、ステップＳ１１、以下、「ステップ」を省略する）。この場合、認証部４１による認証の方法については、特に限定されておらず、例えば、ログイン画面を表示画面２１に表示してユーザーＩＤとパスワードを入力させて、入力の正誤により認証を行うようにしてもよいし、単純にパスワードの正誤の認証だけであってもよい。そして、認証部４１による認証が成功すれば（Ｓ１１において、ＹＥＳ）、ポイントカード５６ａ〜５６ｃの読み取りモードに設定する（Ｓ１２）。この設定については、操作部１３の表示画面２１を介して行われる。なお、ユーザーの認証が成功しなければ（Ｓ１１において、ＮＯ）、画像読み取り制御部４３は、画像読み取り部１４によってポイントカードの画像を読み取らないよう制御し、処理を終了する。
【００２６】
ユーザーＸは、読み取りモードの設定後、載置台１９上に三枚のポイントカード５６ａ、５６ｂ、５６ｃを載置する。この場合、それぞれのポイントカード５６ａ〜５６ｃの表面５７を、複合機１１の装置内部側に向くようにして、それぞれのポイントカード５６ａ〜５６ｃが重なり合わないようにして載置する。
【００２７】
図７は、載置台１９上に載置された三枚のポイントカード５６ａ〜５６ｃの状態を示す図である。図７を参照して、載置台１９上には、表面５７を複合機１１の装置内部側に向くように配置して、三枚のポイントカード５６ａ〜５６ｃが載置されている。上から順に、ポイントカード５６ａ、５６ｂ、５６ｃが載置されている。
【００２８】
このようにしてポイントカード５６ａ〜５６ｃが載置され、操作部１３のスタートキーの押下が検知される。すなわち、読み取り要求受け付け部４２が載置台１９上に載置されたポイントカード５６ａ〜５６ｃのユーザーからの画像の読み取りの要求を受け付ければ（Ｓ１３において、ＹＥＳ）、画像読み取り制御部４３は、ポイントカード５６ａ〜５６ｃの表面５７の画像を画像読み取り部１４によって読み取るよう制御する（Ｓ１４）。この場合、図示しない読み取り部を図７中の矢印Ｄ１で示す方向に移動させながらスキャンし、ポイントカード５６ａ〜５６ｃの表面５７の画像を読み取る。
【００２９】
その後、記載情報取得部４４は、画像読み取り部１４に読み取られたポイントカード５６ａ〜５６ｃの画像からポイントカード５６ａ〜５６ｃの記載情報を取得する（Ｓ１５）。具体的には、ポイントカード５６ａ〜５６ｃの表面５７の画像から、ユーザーＸにおける各ポイントカード５６ａ〜５６ｃの会社名、およびカード番号、そして、ユーザーＸの名前を取得する。ここで、取得された記載情報については、一時的に主記憶メモリ２５に記憶される。
【００３０】
図８は、主記憶メモリ２５に記憶された三枚のポイントカード５６ａ〜５６ｃの記載情報の一例を示す概念図である。図８を参照して、主記憶メモリ２５には、ポイントカード５６ａ〜５６ｃの記載情報６１ａ、６１ｂ、６１ｃが記憶されている。
【００３１】
次に、複合機送信制御部４５は、記載情報取得部４４により取得されたポイントカード５６ａ〜５６ｃの記載情報６１ａ〜６１ｃを、ネットワーク２３を介してサーバー３１に送信するよう制御する（Ｓ１６）。
【００３２】
ネットワーク２３を介して送信されたポイントカード５６ａ〜５６ｃの記載情報６１ａ〜６１ｃについては、サーバー受信制御部５１により受信される（Ｓ１７）。
【００３３】
その後、サーバー３１に設けられた抽出部５２は、受信された記載情報６１ａ〜６１ｃを基に、サーバーハードディスク３４に記憶されたポイントカード５６ａ〜５６ｃの情報の中から、ポイントカード５６ａ〜５６ｃの蓄積情報を抽出する（Ｓ１８）。抽出されたポイントカード５６ａ〜５６ｃの蓄積情報については、一時的に不揮発メモリ３５に記憶される。
【００３４】
図９は、不揮発メモリ３５に記憶された三枚のポイントカード５６ａ〜５６ｃの蓄積情報の一例を示す概念図である。図９を参照して、不揮発メモリ３５には、各ポイントカード５６ａ〜５６ｃの蓄積情報６２ａ、６２ｂ、６２ｃが記憶されている。
【００３５】
ポイントカード５６ａの蓄積情報６２ａは、ユーザー名として「Ｘ」、カード番号として「１１１」、会社名として「Ｙ」の他に、獲得ポイント数として「１００」、有効期限として「６月３０日」というものである。ポイントカード５６ｂの蓄積情報６２ｂは、ユーザー名として「Ｘ」、カード番号として「２２２」、会社名として「Ｚ」の他に、獲得ポイント数として「５００」、有効期限として「５月１５日」というものである。ポイントカード５６ｃの蓄積情報６２ｃは、ユーザー名として「Ｘ」、カード番号として「３３３」、会社名として「Ｗ」の他に、獲得ポイント数として「５０」、有効期限として「８月３１日」というものである。
【００３６】
その後、サーバー送信制御部５３は、ポイントカード５６ａ〜５６ｃの蓄積情報６２ａ〜６２ｃを、複合機１１側に送信する（Ｓ１９）。もちろんこの場合も、ネットワーク２３を介して行われる。
【００３７】
そうすると、複合機受信制御部４６は、送信されたポイントカード５６ａ〜５６ｃの蓄積情報６２ａ〜６２ｃを受信するよう制御する（Ｓ２０）。そして、レイアウト作成部４７は、受信したポイントカード５６ａ〜５６ｃの蓄積情報６２ａ〜６２ｃを基に、印刷画像のレイアウトを作成する（Ｓ２１）。その後、印刷制御部４８は、作成された印刷画像のレイアウトを基に印刷部１５による印刷を行って出力する（Ｓ２２）。
【００３８】
図１０は、出力された印刷物６６の一例を示す図である。図１０を参照して、印刷物６６には、「ポイントカードの蓄積情報」との表記６７と、個々のポイントカード５６ａ〜５６ｃの蓄積情報６２ａ〜６２ｃに関する表記６８ａ、６８ｂ、６８ｃがある。具体的には、表記６８ａには、「カード番号１１１（会社名：Ｙ、ユーザー名：Ｘ）  獲得ポイント数：１００  有効期限：６月３０日」と示されている。表記６８ｂには、「カード番号２２２（会社名：Ｚ、ユーザー名：Ｘ）  獲得ポイント数：５００  有効期限：５月１５日」と示されている。表記６８ｃには、「カード番号３３３（会社名：Ｗ、ユーザー名：Ｘ）  獲得ポイント数：５０  有効期限：８月３１日」と示されている。
【００３９】
ユーザーＸは、この出力された印刷物６６を見て、例えば、ポイントカード５６ｂの有効期限が最も近いこと、ポイントカード５６ｂにより獲得した獲得ポイント数が最も多いことを把握することができる。そして、ユーザーＸにより、ポイントカード５６ｂの利用を促進することができる。
【００４０】
以上より、このようなポイントカード管理システム２４によれば、複数のポイントカードの情報を読み取らせて、複数のポイントカードの獲得ポイント数や有効期限を印刷して出力することとしている。そうすると、ユーザー自身がポイントカードの管理をせずとも、容易に獲得ポイント数や有効期限を把握することができ、ポイントの失効を防いだり、ポイントの有効活用を図ることができる。したがって、ユーザーの所有するポイントカードのポイントの有効な利用を簡便に促進することができる。
【００４１】
この場合、認証部４１は、読み取り要求受け付け部４２により読み取りの要求を受け付けたユーザーを認証し、画像読み取り制御部４３は、認証部４１によりユーザーの認証が成功しなければ、画像読み取り部１４によってポイントカードの画像を読み取らないよう制御する。したがって、より高いセキュリティを確保することができる。
【００４２】
なお、以下のような構成としてもよい。すなわち、複合機１１は、読み取り要求受け付け部４２により要求を受け付けたユーザーの情報を記憶する記憶部と、読み取り要求受け付け部４２により読み取りの要求を受け付けたユーザーが、過去に読み取り要求受け付け部４２による読み取りの要求を行ったか否かを判断する判断部とをさらに備える。そして、抽出部５２は、判断部により過去に読み取り要求受け付け部４２による読み取りの要求を行ったと判断されれば、記載情報取得部４４により取得されたポイントカードの記載情報に関わらず、ユーザーの情報を基に、ポイントカードの蓄積情報を抽出する。こうすることにより、一度ポイントカードの読み取りの要求を行ったユーザーに対し、再度載置台１９上にポイントカードを並べて読み取らせなくとも、該当するユーザーに対するポイントカードの蓄積情報を把握することができる。
【００４３】
また、上記の実施の形態において、認証部４１は、ユーザーの顔の画像を認証することにより行われることとしてもよい。具体的には、ユーザーの所有する免許証に添付された顔写真を利用して認証を行う。こうすることにより、よりセキュリティの度合いを高めることができる。また、例えば、操作するユーザーが特定される場合には、認証部４１による認証を行わなくともよい。
【００４４】
なお、上記の実施の形態において、記載情報取得部４４は、ＯＣＲ（Ｏｐｔｉｃａｌ  Ｃｈａｒａｃｔｅｒ  Ｒｅｃｏｇｎｉｔｉｏｎ）を含む構成としてもよい。こうすることにより、例えば、ポイントカードにおいて、手書きでユーザー名が記入されていた場合等に対応することができる。
【００４５】
また、上記の実施の形態においては、記憶装置は、ネットワーク２３に接続されたサーバー３１であることとしたが、これに限らず、クラウドコンピューティング上の記憶部であってもよい。すなわち、記憶装置は、サーバーおよびクラウドコンピューティング上の記憶部のうちの少なくともいずれか一方を含むよう構成してもよい。
【００４６】
なお、上記の実施の形態において、ポイントカードの記載情報は、ポイントカードを発行した会社名の情報、ポイントカードを所有するユーザーの情報、およびポイントカードのカード番号の情報を含むこととしたが、これに限らず、他の情報を含むこととしてもよい。
【００４７】
また、上記の実施の形態において、ポイントカードの蓄積情報は、蓄積されたポイント数の情報、ポイントの有効期限の情報を含むこととしたが、これに限らず、他の情報、例えば、ポイントを利用する場合の注意の情報等を含むようにしてもよい。
【００４８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４９】
この発明に係るポイントカード管理システムは、ユーザーの所有するポイントカードのポイントの有効な利用の簡便な促進が要求される場合に、特に有効に利用される。
【符号の説明】
【００５０】
１１  複合機、１２  複合機制御部、１３  操作部、１４  画像読み取り部、１５  印刷部、１６  給紙カセット、１７  複合機ハードディスク、１８  複合機ネットワークインターフェース部、１９  載置台、２１  表示画面、２２  ＡＤＦ、２３  ネットワーク、２４  ポイントカード管理システム、２５  主記憶メモリ、３１  サーバー、３２  サーバー制御部、３３  サーバーネットワークインターフェース部、３４  サーバーハードディスク、３５  不揮発メモリ、３６  ディスプレイ、３７  キーボード、３８  マウス、４１  認証部、４２  読み取り要求受け付け部、４３  画像読み取り制御部、４４  記載情報取得部、４５  複合機送信制御部、４６  複合機受信制御部、４７  レイアウト作成部、４８  印刷制御部、５１  サーバー受信制御部、５２  抽出部、５３  サーバー送信制御部、５６ａ，５６ｂ，５６ｃ  ポイントカード、５７  表面、５８，５９ａ，５９ｂ，５９ｃ，６７，６８ａ，６８ｂ，６８ｃ  表記、６１ａ，６１ｂ，６１ｃ  記載情報、６２ａ，６２ｂ，６２ｃ  蓄積情報、６６  印刷物。
【図１】
2017215767.tif 000003
【図２】
2017215767.tif 000004
【図３】
2017215767.tif 000005
【図４】
2017215767.tif 000006
【図５】
2017215767.tif 000007
【図６】
2017215767.tif 000008
【図７】
2017215767.tif 000009
【図８】
2017215767.tif 000010
【図９】
2017215767.tif 000011
【図１０】
2017215767.tif 000012